(57)【要約】【課題】携帯電話機の登録情報のバックアップを簡単に行うことができ、携帯電話機がなくても必要なときに簡単に登録情報を知ることができるようにする。【解決手段】  情報管理センターの運営するサーバー１１を、ユーザーの携帯電話機７の登録情報をインターネットを通じて携帯電話機７から読み取る登録情報読取手段と、携帯電話機７から読み取った登録情報をデータベース２１に格納するデータ書き込み手段と、データベース２１に格納された登録情報をインターネットを通じてアクセス情報端末にダウンロードする携帯電話登録情報送信手段として機能させるとともに、携帯電話機に内蔵されたコンピュータを、登録情報を発信する登録情報発信手段として機能させ、ユーザーの所有する携帯電話機７の登録情報をサーバー１１のデータベース２１にリアルタイムで保存し、この保存した登録情報をインターネット対応の情報端末を通じて必要なときにパスワードを用いて呼び出し、情報端末の画面に表示できるようにした。【選択図】図１
2006191215.tif 000002
【特許請求の範囲】
【請求項１】
ユーザーの所有する携帯電話機の登録情報を情報管理センターの運営するサーバーのデータベースに保存し、この保存した登録情報をインターネット対応の情報端末を通じて必要なときにパスワードを用いて呼び出し、情報端末の画面に表示できるようにした携帯電話登録情報提供システムであって、
前記サーバーを、
前記ユーザーの携帯電話機の登録情報をインターネットを通じて前記携帯電話機から読み取る登録情報読取手段、
前記携帯電話機から読み取った登録情報をデータベースに格納するデータ書き込み手段、前記データベースに格納された登録情報をインターネットを通じてユーザー側のアクセス情報端末にダウンロードする携帯電話登録情報送信手段、
として機能させ、
前記携帯電話機に内蔵されたコンピュータを、登録情報を発信する登録情報発信手段として機能させたことを特徴とする携帯電話登録情報提供システム。
【請求項２】
前記サーバーには、インターネット上に携帯電話登録情報提供サイトが構築され、該サイトを通じてユーザー側のアクセス情報端末からデータを取得し、該データに基づいて前記携帯電話登録情報送信手段を動作させるようにしたことを特徴とする請求項１に記載の携帯電話登録情報提供システム。
【請求項３】
前記アクセス情報端末が、コンビニエンスストアに設置された情報端末、あるいは、インターネットカフェに設置された情報端末、あるいはインターネット対応の公衆電話等の任意の情報端末であることを特徴とする請求項１に記載の携帯電話登録情報提供システム。
【請求項４】
前記携帯電話登録情報送信手段は、アクセス情報端末から入力されたパスワードが正しいか否か確認し、パスワード確認後、パスワードに対応する登録情報を前記データベースから呼び出し、前記アクセス情報端末にダウンロードするようにしたことを特徴とする請求項１に記載の携帯電話登録情報提供システム。
【請求項５】
前記登録情報の保存及び提供サービスに対してユーザーから料金を徴収する課金システムを備えていることを特徴とする請求項１に記載の携帯電話登録情報提供システム。
【請求項６】
前記サーバーは、前記データベースに保存された登録情報を更新するための携帯電話登録情報更新手段を備えていることを特徴とする請求項１に記載の携帯電話登録情報提供システム。
【請求項７】
前記携帯電話機は、バックアップの対象となる登録情報を取捨選択し、新データのみを前記サーバーの前記携帯電話登録情報更新手段に定期的に送信し、前記データベースに保存された登録情報を更新するようにしたことを特徴とする請求項６に記載の携帯電話登録情報提供システム。
【請求項８】
前記情報管理センターとの契約に基づき、電話センター等は、電話での問い合わせに対してオペレータが前記サーバーに構築された携帯電話登録情報提供サイトの画面を通じて登録情報を回答するサービスを行うようにしたことを特徴とする請求項１に記載の携帯電話登録情報提供システム。
【発明の詳細な説明】
【技術分野】
【０００１】  本発明は、携帯電話機の登録情報を情報管理センターの運営するサーバーのデータベースにリアルタイムで保存し、この保存した登録情報をインターネット対応の情報端末を通じて必要なときにパスワードを用いて呼び出し、情報端末の画面に表示できるようにした携帯電話登録情報提供システムに関する。
【背景技術】
【０００２】  従来、インターネットを利用して携帯電話装置等の情報端末にリアルタイムに情報を提供できるようにした種々の情報提供システムが知られている（例えば特許文献１参照）。
【特許文献１】特開２００２−３１２６８３号公報
【発明の開示】
【発明が解決しようとする課題】
【０００３】  携帯電話機の各ユーザーは、携帯電話機のメモリの電話帳に多数の電話番号を登録しているのが一般的である。携帯電話機が壊れたり紛失したとき、あるいは、携帯電話機を忘れて外出し、外出先で携帯電話機の電話帳に登録してある電話番号に電話をかけたいときなど、登録情報が必要となる場合がある。この場合、携帯電話機がなくとも自己の携帯電話機のメモリの登録情報を簡単に知ることができればきわめて便利であるが、現在このような情報提供サービスシステムが存在しない。
本発明は、携帯電話機の登録情報をリアルタイムでバックアップでき、登録情報が記録された携帯電話機がなくても必要なときに任意のインターネット対応の情報端末で登録情報を確認できるようにして上記問題点を解決することを目的とするものである。
【課題を解決するための手段】
【０００４】  上記目的を達成するため本発明は、ユーザーの所有する携帯電話機の登録情報を情報管理センターの運営するサーバーのデータベースに保存し、この保存した登録情報をインターネット対応の情報端末を通じて必要なときにパスワードを用いて呼び出し、情報端末の画面に表示できるようにした携帯電話登録情報提供システムであって、前記サーバーを、前記ユーザーの携帯電話機の登録情報をインターネットを通じて前記携帯電話機から読み取る登録情報読取手段、
前記携帯電話機から読み取った登録情報をデータベースに格納するデータ書き込み手段、前記データベースに格納された登録情報をインターネットを通じてユーザー側のアクセス情報端末にダウンロードする携帯電話登録情報送信手段、
として機能させ、前記携帯電話機に内蔵されたコンピュータを、登録情報を発信する登録情報発信手段として機能させたものである。
また本発明は、前記サーバーには、インターネット上に携帯電話登録情報提供サイトが構築され、該サイトを通じてユーザー側のアクセス情報端末からデータを取得し、該データに基づいて前記携帯電話登録情報送信手段を動作させるようにしたものである。
また本発明は、前記アクセス情報端末が、コンビニエンスストアに設置された情報端末、あるいは、インターネットカフェに設置された情報端末、あるいはインターネット対応の公衆電話等の任意の情報端末であることを特徴とするものである。
また本発明は、前記携帯電話登録情報送信手段は、アクセス情報端末から入力されたパスワードが正しいか否か確認し、パスワード確認後、パスワードに対応する登録情報を前記データベースから呼び出し、前記アクセス情報端末にダウンロードするようにしたものである。
また本発明は、前記登録情報の保存及び提供サービスに対してユーザーから料金を徴収する課金システムを備えているものである。
また本発明は、前記サーバーは、前記データベースに保存された登録情報を更新するための携帯電話登録情報更新手段を備えていることを特徴とするものである。
また本発明は、前記携帯電話機は、バックアップの対象となる登録情報を取捨選択し、新データのみを前記サーバーの前記携帯電話登録情報更新手段に定期的に送信し、前記データベースに保存された登録情報を更新するようにしたことを特徴とするものである。
また本発明は、前記情報管理センターとの契約に基づき、電話センター等は、電話での問い合わせに対してオペレータが前記サーバーに構築された携帯電話登録情報提供サイトの画面を通じて登録情報を回答するサービスを行うようにしたものである。
【発明の効果】
【０００５】  本発明は、携帯電話機の登録情報のバックアップを簡単に行うことができ、携帯電話機がなくても、情報端末を用いて簡単に登録情報を知ることができる。
【発明を実施するための最良の形態】
【０００６】  以下に本発明の実施の形態を添付した図面を参照して詳細に説明する。
図２は、本発明に係る携帯電話登録情報提供システム１のハードウエア構成を示している。携帯電話登録情報提供システム１は、少なくとも、ある電話サービス・キャリアにより運営される専用線接続キャリア内部網２と、インターネット３で構成される。【０００７】専用線接続キャリア内部網２は、少なくとも１以上の携帯電話地上網４と、インターネット３に接続するためのゲートウエイ５とを備えている。携帯電話地上網４には、複数の基地局６，６が接続されている。各基地局６は、携帯電話機７と交信可能なセルを有している。携帯電話機７は、基地局６と携帯電話地上網４と専用線接続キャリア内部網２とゲートウエイ５を通じてインターネット３に接続可能となっている。【０００８】また、インターネット対応の固定型の電話機８や、公衆電話９も専用線接続キャリア内部網２とゲートウエイ５を通じてインターネット３に接続可能となっている。インターネット３上には、コンビニエンスストアに設置されている情報端末１０や、インターネットカフェに設置されている情報端末１０その他の情報端末が接続されている。【０００９】１１はインターネット３に通信コネクタ１２を介して接続された、情報管理センターの運営するサーバーであり、これに、サイト構築プログラム１４により、携帯電話登録情報提供サイトが構築され、このサイトにインターネット３を通じて、携帯電話機７、公衆電話９、固定電話８、情報端末１０かららアクセス可能となっている。【００１０】前記サーバー１１の記憶装置には、携帯電話登録情報提供サイト１５を構築するサイト構築プログラム１４に連係して、入会プログラム１６、パスワード確認プログラム１７、携帯電話登録情報送信プログラム１８，携帯電話登録情報読取プログラム１９、携帯電話登録情報更新プログラム２０が格納されるとともに、携帯電話登録情報保存用データベース２１が構築されている。【００１１】サイト構築プログラム１４により構築された携帯電話登録情報提供サイト１５は、図３に示すように、入会案内表示部２２と、パスワード入力表示部２３と、登録・呼出・更新機能選択表示部２４と、各表示部２２，２３，２４に入力されたデータを取り込み、対応する各種プログラムに出力するためのデータ取込部２５とこれらを制御する制御部２６を備えている。【００１２】サーバー１１に格納された前記入会プログラム１６は、携帯電話登録情報提供サイト１５のホームページに表示された入会案内画面を通じてユーザーから入力されたデータに基づき、ユーザ入会手続を行い、ユーザーにパスワードを設定する。このパスワードは、情報管理センターを通じてユーザーに郵送される。【００１３】また、このパスワードは、サーバー１１の携帯電話登録情報保存用データベース２１に保存される。会員登録の際、ユーザーには、本システムの課金システム（図示省略）により、情報管理センターから所定のサービス料が課金される構成となっている。パスワード確認プログラム１７は、携帯電話登録情報提供サイト１５のホームページに表示されたパスワード入力画面を通じて、ユーザーからパスワードが携帯電話登録情報提供サイト１５のデータ取込部２５に入力されると、このパスワードに基づき、このパスワードが正しいか否か確認する。【００１４】携帯電話登録情報読取プログラム１９は、携帯電話登録情報提供サイト１５のホームページに表示された登録・呼出・更新機能選択画面を通じて、ユーザーから入力された登録機能選択信号に基づき、パスワードを確認した後、携帯電話登録情報提供サイト１１にインターネットを通じてアクセスしてきたユーザーの携帯電話機７と交信し、該携帯電話機７から発信されたその電話帳や着信履歴などに記録されている登録情報を読み取る。【００１５】読み取った登録情報は、携帯電話登録情報保存用データベース２１に、ユーザーのパスワードと対応させて格納される。携帯電話登録情報更新プログラム２０は、携帯電話登録情報提供サイト１５のホームページに表示された登録・呼出・更新機能選択画面を通じて、ユーザーから入力された更新機能選択信号に基づき、パスワードを確認した後、携帯電話登録情報提供サイト１５にインターネットを通じて接続するユーザーの携帯電話機７から、最新の登録情報を読み取り、携帯電話登録情報保存用データベース２１に格納されている対応する登録情報を更新する。【００１６】携帯電話登録情報送信プログラム１８は、携帯電話登録情報提供サイト１５のホームページに表示された登録・呼出・更新機能選択画面を通じてユーザーから入力された呼出機能選択信号に基づき、パスワードを確認した後、携帯電話登録情報提供サイト１５にインターネットを通じて接続するユーザーの利用する、コンビニ情報端末１０、又は、インターネットカフェなどの情報端末１０又は、インターネット対応公衆電話９などの情報端末に、パスワードに対応するユーザーの携帯電話機７の登録情報を携帯電話登録情報保存用データベース２１から呼び出し、上記ユーザーの利用する情報端末１０，９，８にダウンロードする。前記携帯電話機７の内部メモリには登録情報を読み取り外部に発信するための登録情報発信プログラムが格納されている。このプログラムは携帯電話機７の外部接続端子を介して接続可能な外部記憶装置（図示省略）に格納してもよい。登録情報発信プログラムは、サーバー１１から登録情報送信依頼信号を受信すると、登録情報をサーバー１１に発信するように構成されている。【００１７】  次に本システムの動作について説明する。
ユーザーが自己の所有する携帯電話機７の登録情報を、情報管理センターの運営するサーバー１１のデータベース２１に記録し、必要なときに、任意のインターネット情報端末でその登録情報の提供を受けるためには、ユーザーは、情報管理センターの運営するサーバー１１に構築された携帯電話登録情報提供サイト１５を通じて会員登録し、パスワードを取得する。このとき、情報管理センターからユーザーに入会費が請求される。【００１８】この入会費の支払いは、サーバー１１に構築された課金システム（図示省略）によりオンライン上で行っても良いし、また、オフライン上で行うことができるようにしてもよい。情報管理センターは、入会費の他に、登録情報管理料として別途に月額管理料金や年会費を会員ユーザー課金し徴収するようにしても良い。ユーザーはパスワード取得後、携帯電話機７で携帯電話登録情報提供サイト１５にアクセスし、サーバー１１のデータベース２１に自己の携帯電話機７の登録情報を記録し、バックアップデータをデータベース２１に保存する。【００１９】ユーザーが携帯電話機を紛失したり、忘れて持っていないとき、携帯電話機に登録してある登録情報を知りたいときは、コンビニの情報端末１０、あるいはインターネットカフェの情報端末１０、公衆電話９など最寄りの任意のインターネット対応情報端末を通じて、情報管理センターの管理する携帯電話登録情報提供サイト１５にパスワードを用いてアクセスすることで、情報端末の画面に所望の登録情報を表示させることができ、必要ならばプリントアウトすることができる。ユーザーは最新の登録情報を随時データベース２１に入力し旧登録情報を更新させておく。【００２０】前記携帯電話機７に組み込んだプログラムソフトにより、バックアップの対象となるデータを取捨選択し、該プログラムソフトは、その登録情報発信プログラムの機能によって、定期的にそのデータを前記サーバー１１に転送するようにしても良い。この場合、データ転送量の逓増による通信帯域の圧迫を防ぐため、差分のみの即ち新データのみの送信とする。また、情報管理センターは、電話センター等と契約し、この契約に基づいて、電話センター等は、ユーザーからの問い合わせに対して、オペレータが前記携帯電話登録情報提供サイトの画面を通じて、登録情報を回答するサービスを行うようにしても良い。
【図面の簡単な説明】
【００２１】
【図１】本発明のブロック説明図である。
【図２】本発明の全体構成を示すブロック説明図である。
【図３】本発明に使用される携帯電話登録情報提供サイトの説明図である。
【符号の説明】
【００２２】１    携帯電話登録情報提供システム
２    キャリア内部網
３    インターネット
４    携帯電話地上網
５    ゲートウエイ
６    基地局
７    携帯電話機
８    電話機
９    公衆電話
１０  情報端末
１１  サーバー
１２  通信コネクタ
１４  サイト構築プログラム
１５  携帯電話登録情報提供サイト
１６  入会プログラム
１７  パスワード確認プログラム
１８  携帯電話登録情報送信プログラム
１９  携帯電話登録情報読取プログラム
２０  携帯電話登録情報更新プログラム
２１  データベース
２２  入会案内部
２３  パスワード入力表示部
２４  登録・呼出・更新機能選択表示部
２５  データ取込部
２６  制御部
【図１】
2006191215.tif 000003
【図２】
2006191215.tif 000004
【図３】
2006191215.tif 000005